(57)【要約】【課題】リビングルーム等の居室に連続して、当該居室の一部をなすようにＡＶ機器設置設備、ワーキング用カウンター設備、クローゼット設備、収納設備等の設置空間を、リビングルーム等の居室における空間を何等損ねることなく、容易に、かつ、確実に設けうるようにした。【解決手段】リビングルーム等の居室１３に隣接して備えられている階段１９における階段下空間に組み込まれる空間構成体Ａであって、この空間構成体Ａが少なくとも向き合った一対の側板３１、３１と当該側板３１上端間に備えられる天板３２と当該側板３１及び天板３２のなす空間の背面側を塞ぐ背板３３とを備えており、前記居室空間の床面１３ａと同面の床面１３ａ’を備えるように当該居室１３空間に連通する空間を構成し得るように組み込んである。【選択図】図３
2008214888.tif 000002
【特許請求の範囲】
【請求項１】
リビングルーム等の居室に隣接して備えられている階段における階段下空間に組み込まれる空間構成体であって、この空間構成体が少なくとも向き合った一対の側板と当該側板上端間に備えられる天板と当該側板及び天板のなす空間の背面側を塞ぐ背板とを備えており、前記居室空間の床面と同面の床面を備えるように当該居室空間に連通する空間を構成し得るように組み込まれることを特徴とする階段下構造。
【請求項２】
前記空間構成体がＡＶ機器設置設備を一体に備えていることを特徴とする請求項１に記載の階段下構造。
【請求項３】
前記空間構成体がワーキング用カウンター設備を一体に備えていることを特徴とする請求項１に記載の階段下構造。
【請求項４】
前記空間構成体がクローゼット設備を一体に備えていることを特徴とする請求項１に記載の階段下構造。
【請求項５】
前記空間構成体が収納棚、収納抽斗等の収納設備を一体に備えていることを特徴とする請求項１に記載の階段下構造。
【発明の詳細な説明】
【技術分野】
【０００１】
この発明は、リビングルーム等の居室に隣接して階段が備えられている際に、当該居室側において階段下空間を、容易に、かつ、当該居室の意匠性を損なうこと無く当該居室の一部に取り込むようにした階段下構造の提案に関する。
【背景技術】
【０００２】
階段下空間は、階段の位置的都合等から有効に活用しきれい場合が多く、階段の下階側の側方に、回り階段等の上部側階段の下側にあたる部分に物品収納庫を設けるようにしていた。
【０００３】
また、階段設置室と、この階段設置室と隣接する部屋とを仕切る仕切壁に沿って階段を設置した住宅において、前記仕切壁のうち、前記階段の下に相当する部位に開口部を形成し、この開口部を介して前記階段設置室と隣接する部屋を階段下まで拡張する拡張空間部を設けた階段下構造が提案されている（例えば、特許文献１）。
【０００４】
【特許文献１】特開２０００−１７０３６９公開特許公報
【発明の開示】
【発明が解決しようとする課題】
【０００５】
しかし、リビングルーム等の居室の一部をなすように当該居室に連続した所定空間を確実に、かつ、簡易に、階段下に構成する手段は無かった。
【０００６】
この発明に係る階段下構造は、少なくとも向き合った一対の側板と当該側板上端間を連結する天板と当該側板及び天板のなす空間の背面側を塞ぐ背板とを備えるユニット化された空間構成体によって、階段下に、居室空間の床面と同面の床面を備える空間を確実に、かつ、容易に、当該居室空間に連通した態様に設けることを目的としている。
【課題を解決するための手段】
【０００７】
この発明は、前記課題を解決するために、リビングルーム等の居室に隣接して備えられている階段における階段下空間に組み込まれる空間構成体であって、この空間構成体が少なくとも向き合った一対の側板と当該側板上端間に備えられる天板と当該側板及び天板のなす空間の背面側を塞ぐ背板とを備えており、前記居室空間の床面と同面の床面を備えるように当該居室空間に連通する空間を構成し得るように組み込まれることを特徴とする階段下構造としてある。
【０００８】
このように構成される階段下構造にあっては、階段下に、リビングルーム等の居室の床面に床面を同面にして空間構成体を連通状態に備え付けることで、居室と意匠的にも、使用面でも一体的な居住空間を、簡易に、かつ、確実に構成することができる。
【０００９】
また、前記構成に係る階段下構造において、前記空間構成体がＡＶ機器設置設備を一体に備えていることを特徴とする階段下構造では、当該リビングルーム等の居室の一面に凹状に凹んだ状態で、ＡＶ機器等を備えるリビングボード等を設けることができる。
【００１０】
また、前記構成に係る階段下構造において、前記空間構成体がワーキング用カウンター設備を一体に備えていることを特徴とする階段下構造では、リビングルーム等の居室の一隅に勉強や各種ワーキング処理に都合のよいカウンター及び必要な棚及び抽斗等を、当該居室における空間を妨げることなく設けることができる。
【００１１】
また、前記構成に係る階段下構造において、前記空間構成体がクローゼット設備を一体に備えていることを特徴とする階段下構造では、リビングルーム等の居室の空間を維持した状態で、当該居室から容易に出し入りし得るクローゼットを確実、かつ、容易に構成することができる。
【００１２】
また、前記構成に係る階段下構造において、前記空間構成体が収納棚、収納抽斗等の収納設備を一体に備えていることを特徴とする階段下構造では、リビングルーム等の居室における空間を何等損なうことなく、当該居室から、容易に出し入れし得る棚や抽斗等の収納設備を備える収納空間を、容易に、かつ、確実に設けることができる。
【発明の効果】
【００１３】
この発明に係る階段下構造は、リビングルーム等の居室に連続して、当該居室の一部をなすようにＡＶ機器設置設備、ワーキング用カウンター設備、クローゼット設備、収納設備等の設置空間を、リビングルーム等の居室における空間を何等損ねることなく、容易に、かつ、確実に設けることができる。
【発明を実施するための最良の形態】
【００１４】
以下、図１〜図１４にもとづいて、この発明を実施するための最良の形態に係る階段下構造について説明する。
【００１５】
なお、ここで図１は当該発明を実施するための最良の形態に係る階段下構造の設置位置の典型箇所を構造物Ｂを水平向きに断面して下方を見て、図２は、典型的な空間構成体Ａを斜め上方から見て示している。また、図３は、ＡＶ機器設置設備Ｃを備えた状態の要部を正面側から見て、図４では、その要部を水平向きに断面して下方を、図５では、その要部を縦向きに断面して側方から見て示している。また、図６は、ワーキング用カウンター設備Ｄを備えた状態の要部を正面側から見て、図７では、その要部を水平向きに断面して下方を、図８では、その要部を縦向きに断面して側方から見て示している。また、図９は、クローゼット設備Ｅを備えた状態の要部を縦向きに断面して正面側から見て、図１０は、その要部を水平向きに断面して下方を、図１１では、その要部を縦向きに断面して側方から見て示している。また、図１２は、棚、抽斗等の収納設備Ｆを備えた状態の要部を縦向きに断面して正面側から見て、図１３は、その要部を水平向きに断面して下方を、図１４では、その要部を縦向きに断面して側方から見て示している。
【００１６】
この発明を実施するための最良の形態に係る階段下構造は、リビングルーム等の居室１３に隣接して備えられている階段１９における階段下空間に組み込まれる空間構成体Ａであって、この空間構成体Ａが少なくとも向き合った一対の側板３１、３１と当該側板３１上端間に備えられる天板３２と当該側板３１及び天板３２のなす空間の背面側を塞ぐ背板３３とを備えており、前記居室１３空間の床面１３ａと同面の床面１３ａ’を備えるように当該居室１３空間に連通する空間を構成し得るように組み込んである。
【００１７】
かかる空間構成体Ａは、一対の側板３１と、この側板３１の上端間に備えられる天板３２と、この側板３１及び天板３２の構成する背面側を塞ぐ背板３３とを備えており、居室１３の床面１３ａと同面に床面１３ａ’を構成し得るように階段下空間に組み込み得る形態のものであれば、いかなる形状に構成してあってもよい。また、床板１３となる底板３４を一体的に備えるようにしてあっても、また、前面側を前面にわたって開口するように構成してあっても、その一部を前面板等で覆うように構成してあってもよい。
【００１８】
また、かかる空間構成体Ａは、側板３１、天板３２、背板３３等を前もって組み付け構成してあっても、現場において階段下に組み付けて構成するようにしてあってもよい。
【００１９】
かかる空間構成体Ａは、リビングルーム等の居室１３に隣接して備えられる階段の形態に対応して、当該階段の階段下に組み付け得る形態であれば、例えば、階段の傾斜に対応するように天板を傾斜するように設けてあっても、階段の各段板の下方に密接して天板を備えるように当該天板を階段状に構成してあってもよい。また、この空間構成体Ａは、組み付け対象とされる階段が回り階段、折り返し階段等の場合には、当該空間構成体Ａの組み付け居室１３側における高さに比し、奥側にある空間構成体Ａ部分を高さの低い構成とする等、対象とされる階段の階段下に納まる形態に構成してある。
【００２０】
また、かかる空間構成体Ａは、例えば、折り返し階段、かね折り階段等における踊り場や、回り階段における回り段部、及び、この踊り場や回り段部等から上側に位置する当該階段部分を用いるように構成してあってもよく、例えば、天板を、この踊り場や回り段部の下方に当該空間構成体Ａが納まる高さとし、当該空間構成体Ａの横幅を、この踊り場や回り段部と当該階段の上部側内に納まる寸法内に設定した規格品として、前もって構成するようにしてあってもよく、さらに、これに、各種の設備、例えば、ＡＶ機器設置設備Ｃ、ワーキング用カウンター設備Ｄ、クローゼット設備Ｅ、棚や抽斗等の収納設備Ｆを前もって備え付け構成してあってもよく、さらに、これらに、必要とされる場合には、扉や引き戸等の開口部の開閉手段を前もって備え付け構成してあってもよい。
【００２１】
このように構成される階段下構造にあっては、階段下に、リビングルーム等の居室１３の床面１３ａに床面１３ａ’を同面にして空間構成体Ａを連通状態に備え付けることで、居室１３と意匠的にも、使用面でも一体的な居住空間を、簡易に、かつ、確実に構成することができる。
【００２２】
図１は、かかる階段下構造の適用箇所の典型例を示すものであって、下階と上階とを連絡する階段１９を備える構造物Ｂ、例えば、住宅の１階部分を平断面状態で示している。
【００２３】
図において、玄関土間１１に続く玄関フロア１２からリビングダイニングルーム１３’に回り込むように入室できるようにしてあり、カウンター１４を介してキッチン１５と、これに続く洗面化粧室１６、バスルーム１７、トイレットルーム１８等で囲まれるように階段１９が設けてあり、リビングダイニングルーム１３’におけるキッチン１５側から階段１９の通路を構成してある。
【００２４】
この図示例にあっては、回り階段１９における回り段部１９ａから下部側がリビングダイニングルーム１３’の反対側になるように構成してあり、リビングダイニングルーム１３’に沿うように、当該階段１９における回り段部１９ａと、当該回り段部から階段１９における上部部分１９ｂが壁２０を介して設けてある。
【００２５】
この図示例に係る階段下構造では、このリビングダイニングルーム１３’に沿っている階段１９における回り段部１９ａ及び当該階段上部部分１９ｂの階段した下に前記空間構成体Ａを納め入れ、当該空間構成体Ａの組み付け部以外の壁２０の仕上げをなすようにしてある。
【００２６】
図２は、かかる階段１９の階段下空間に納め入れられる空間構成体Ａの典型例であって、側板３１、３１と、この側板３１、３１の上端間を塞ぐように備えられる天板３２と、当該側板３１、３１及び天板３２で囲まれた背面を塞ぐ背板３３とで構成してある。なお、かかる空間構成体Ａは、さらに、各側板３１、３１及び背板３３で囲まれる下方を底板３４によって塞いだ状態で構成用意してあってもよい。また、さらに、かかる空間構成体Ａは、当該空間構成体Ａによって具体的にリビングダイニングルーム１３’に構成される設備、例えば、ＡＶ機器設置設備Ｃ、ワーキング用カウンター設備Ｄ、クローゼット設備Ｅ、収納設備Ｆ等を備えた状態に構成用意してあってもよい。また、かかる空間構成体Ａは、これを階段下空間に納め入れて壁２０で周囲を囲った際に、当該空間構成体Ａの前面の開口を塞ぐように、例えば、扉や引き戸を設けるようにしてあってもよく、また、かかる扉や引き戸を前もって備え付けて当該空間構成体Ａを構成用意するようにしてあってもよい。
【００２７】
ついで、図示例に係る空間構成体Ａを備える階段下構造について具体的に説明する。
【００２８】
図３〜図５では、前記空間構成体ＡがＡＶ機器設置設備Ｃを一体に備えた構成の階段下構造を示しており、当該リビングルーム等の居室１３’の一面に凹状に凹んだ状態で、ＡＶ機器等を備えるリビングボード等を設けることができる。
【００２９】
この図示例では、一対の側板３１、３１と、天板３２及び背板３３並びに底板３４で、前面開口の箱状体の空間構成体Ａが構成してあり、この箱状体をなす空間構成体Ａを回り階段１９における回り段部１９ａのリビングダイニングルーム１３’側と、これに続く当該階段１９の上部部分１９ｂの階段下に納め入れて、その空間構成体Ａにおける開口端が壁２０面に面一となるようにしてある。
【００３０】
また、底板３４には、リビングダイニングルーム１３’の床面１３ａに連続するように床材を張り込んだ床面１３ａ’を構成し、リビングダイニングルーム１３’の延長空間としての一体感を生ずるようにしてある。
【００３１】
また、この階段下空間に納め入れられた空間構成体Ａは、壁２０の化粧仕上げと同様の化粧仕上げによって、当該壁２０から天板３２の下面、側板３１の面、及び背板３３の面を一連に連続した壁面をなすように構成してある。
【００３２】
かかる空間構成体Ａに対して、この図示例にあっては、前もって、ＡＶ機器設置設備Ｃを一体に備え付けてあり、当該設備を用いてＡＶ機器を載せ置き用い得るようにしてある。
【００３３】
より具体的には、ＡＶ設置台Ｃａと、ＡＶ機器関連機器の設置及び関連用品の収納キャビネットＣｂを当該空間構成体Ａに一体に備え付け用意し、これを階段下空間に嵌め入れ設置し得る構成としてある。
【００３４】
図６〜図８では、前記空間構成体Ａがワーキング用カウンター設備Ｄを一体に備えた構成の階段下構造を示しており、リビングルーム等の居室１３の一隅に勉強や各種ワーキング処理に都合のよいカウンターＤａ及び必要な棚及び抽斗等の収納部Ｄｂを、当該居室１３における空間を妨げることなく設けることができる。
【００３５】
この図示例に係る空間構成体Ａも、前記図３〜図５に示される空間構成体Ａと同一又は実質的に同一に構成され、同様にして階段下空間に備え付け用いうるものであって、同一又は実質的に同一の構成部分には同一の番号を付して、その説明を省略する。
【００３６】
この図示例に係る空間構成体Ａは、その内部にカウンターＤａと、書類、各種用具類等の収納部Ｄｂとを作りつけてあり、カウンターＤａを用いて勉強、パソコン操作、デスクワーク等をなし得るようにしてあり、これに必要とされる書類、各種用具類等の収納部Ｄｂを側方に一連に備えた構成としてある。
【００３７】
図９〜図１１では、前記空間構成体Ａがクローゼット設備Ｅを一体に備えた構成の階段下構造を示しており、リビングルーム等の居室１３の空間を維持した状態で、当該居室１３から容易に出し入りし得るクローゼットを確実、かつ、容易に構成することができる。
【００３８】
この図示例に係る空間構成体Ａも、前記図３〜図５に示される空間構成体Ａと同一又は実質的に同一に構成され、同様にして階段下空間に備え付け用いうるものであって、同一又は実質的に同一の構成部分には同一の番号を付して、その説明を省略する。
【００３９】
この図示例に係る空間構成体Ａは、その内部に衣類のハンガーを吊すロッドＥａを各側板３１、３１間にわたるように複数本横架してあり、当該空間構成体Ａの前面開口を２組の折り戸Ｅｂによって開閉可能に塞ぐように構成してある。
【００４０】
この結果、リビングダイニングルーム１３’から折り戸Ｅｂを開いた状態で衣類の選択、取り出し、及び収納を容易になすことができる。
【００４１】
図１２〜図１４では、前記空間構成体Ａが収納棚、収納抽斗等の収納設備Ｆａを一体に備えている構成の階段下構造を示しており、リビングルーム等の居室１３における空間を何等損なうことなく、当該居室１３から、容易に出し入れし得る棚や抽斗等の収納設備Ｆａを備える収納空間を、容易に、かつ、確実に設けることができる。
【００４２】
この図示例に係る空間構成体Ａも、前記図３〜図５に示される空間構成体Ａと同一又は実質的に同一に構成され、同様にして階段下空間に備え付け用いうるものであって、同一又は実質的に同一の構成部分には同一の番号を付して、その説明を省略する。
【００４３】
この図示例に係る空間構成体Ａは、その前面開口部の両側に棚設置に必要とする幅分の前板３５を側板３１、天板３２、底板３４にわたるように備え付けてあり、この各前板３５、３５の間の開口を折り戸Ｆｂで開閉可能に塞ぎ得る構成としてあり、当該前板３５、側板３１、背板３３の面に、それぞれ水平棚からなる収納部Ｆａを、その上下方向に複数設け、各種物品の保管、収納、管理等に都合よく用い得るようにしてある。
【００４４】
なお、前記例は、あくまでも典型的な事例であって、階段下空間に納め入れ構成される空間構成体Ａを用いて更に他の各種用途に用い得るように構成することができる。また、かかる空間構成体Ａは、これを、各種目的に対応してユニット化することで、更に、これら各ユニットの組み付けによって階段下空間をリビングダイニングルームの一部として、効率よく、かつ、意匠性を損なうことなく、有効に活用することができる。
【図面の簡単な説明】
【００４５】
【図１】典型的な階段下構造を備える構造物Ｂの要部平面図
【図２】同空間構成体の斜視図
【図３】同階段下構造の典型例を示す要部正面図
【図４】同要部平断面図
【図５】同要部縦断面図
【図６】同階段下構造の他の典型例を示す要部正面図
【図７】同要部平断面図
【図８】同要部縦断面図
【図９】同階段下構造の更に、他の典型例を示す要部の縦断面図
【図１０】同要部平断面図
【図１１】同他の位置における要部縦断面図
【図１２】同階段下構造の更に、他の典型例を示す要部の縦断面図
【図１３】同要部平断面図
【図１４】同他の位置における要部縦断面図
【符号の説明】
【００４６】
Ａ  空間構成体
１３  居室
１３ａ  床面  
１３ａ’  床面
１９  階段
３１  側板
３２  天板
３３  背板
３４  底板
【図１】
2008214888.tif 000003
【図２】
2008214888.tif 000004
【図３】
2008214888.tif 000005
【図４】
2008214888.tif 000006
【図５】
2008214888.tif 000007
【図６】
2008214888.tif 000008
【図７】
2008214888.tif 000009
【図８】
2008214888.tif 000010
【図９】
2008214888.tif 000011
【図１０】
2008214888.tif 000012
【図１１】
2008214888.tif 000013
【図１２】
2008214888.tif 000014
【図１３】
2008214888.tif 000015
【図１４】
2008214888.tif 000016